【手続補正書】
【提出日】平成25年1月23日(2013.1.23)
【手続補正１】
【補正対象書類名】特許請求の範囲
【補正対象項目名】全文
【補正方法】変更
【補正の内容】
【特許請求の範囲】
【請求項１】
所定の音声を聞き取り難くする防聴音を生成し、生成した防聴音を出力する防聴音出力手段と、
前記所定の音声に対して前記防聴音を重畳させた音であるミックス音および前記所定の音声のみを発生させた場合の音であるオリジナル音に基づいて防聴音出力度合を算出する出力度合算出手段と、
人が音声を聴き取れない割合を示す会話保護度合と前記防聴音出力度合との相関を表わす式として予め求められた相関式を用い、前記出力度合算出手段によって算出された防聴音出力度合から前記会話保護度合を算出する保護度合算出手段と
を備えたことを特徴とする会話保護度合評価システム。
【請求項２】
前記防聴音は前記所定の音声に基づいて生成されるものであり、前記出力度合算出手段は、集音手段によって集音された前記ミックス音および前記オリジナル音の音圧レベルの差分に基づいて防聴音出力度合を算出するものであることを特徴とする請求項１に記載の会話保護度合評価システム。
【請求項３】
前記出力度合算出手段は、
前記ミックス音の波形スペクトルと前記オリジナル音の波形スペクトルとに基づいて前記防聴音が有効に出力されている周波数帯域を特定し、特定した周波数帯域における前記ミックス音の音圧レベルの代表値を前記ミックス音の音圧レベルとして算出するとともに、特定した周波数帯域における前記オリジナル音の音圧レベルの代表値を前記オリジナル音の音圧レベルとして算出することを特徴とする請求項２に記載の会話保護度合評価システム。
【請求項４】
あらかじめ録音された男女別の母音を前記所定の音声として出力するテストスピーカをさらに備え、
前記出力度合算出手段は、
前記ミックス音における前記母音ごとの音圧レベルの代表値を前記ミックス音の音圧レベルとして算出するとともに、前記オリジナル音における前記母音ごとの音圧レベルの代表値を前記オリジナル音の音圧レベルとして算出することを特徴とする請求項２または３に記載の会話保護度合評価システム。
【請求項５】
前記集音手段は、前記所定の音声および前記防聴音を発生させていない状態における周囲の音を暗騒音として集音し、
前記保護度合算出手段は、
前記暗騒音の音圧レベルに応じた前記相関式を用い、前記出力度合算出手段によって算出された防聴音出力度合および前記集音手段によって集音された暗騒音の騒音レベルから前記会話保護度合を算出することを特徴とする請求項２、３または４のいずれか一つに記載の会話保護度合評価システム。
【請求項６】
前記保護度合算出手段によって算出された会話保護度合が所定範囲外である場合に、前記会話保護度合が所定範囲内となるように前記防聴音の出力レベルの設定値を変更する設定変更手段
をさらに備えたことを特徴とする請求項２〜５のいずれか一つに記載の会話保護度合評価システム。
【請求項７】
前記防聴音出力手段は、
試験者が発話した所定の音声を集音するとともに、集音された音声に対応する防聴音を生成して出力し、
前記集音手段は、
前記試験者が発話した所定の音声および前記防聴音出力手段によって出力された防聴音をそれぞれ集音し、
前記出力度合算出手段は、
前記集音手段によって集音された前記所定の音声をオリジナル音とし、該オリジナル音を前記集音手段によって集音された防聴音と合成することによってミックス音を生成することを特徴とする請求項２〜６のいずれか一つに記載の会話保護度合評価システム。
【請求項８】
所定の音声をオリジナル音として集音する第１の集音工程と、
集音部によって集音された前記所定の音声に基づき、前記所定の音声を聞き取り難くする防聴音を生成して所定のスピーカから出力する防聴音出力工程と、
前記所定の音声に対して前記防聴音を重畳させた音であるミックス音を集音する第２の集音工程と、
前記第１の集音工程において集音した前記オリジナル音の音圧レベルおよび前記第２の集音工程において集音した前記ミックス音の音圧レベルをそれぞれ算出するとともに、算出された前記ミックス音および前記オリジナル音の音圧レベルの差分に基づいて防聴音出力度合を算出する出力度合算出工程と、
人が音声を聴き取れない割合を示す会話保護度合と前記防聴音出力度合との相関を表わす式として予め求められた相関式を用い、前記出力度合算出工程において算出した防聴音出力度合から前記会話保護度合を算出する保護度合算出工程と
を含んだことを特徴とする会話保護度合評価方法。
【手続補正２】
【補正対象書類名】明細書
【補正対象項目名】００１２
【補正方法】変更
【補正の内容】
【００１２】
上述した課題を解決し、目的を達成するため、本発明は、所定の音声を聞き取り難くする防聴音を生成し、生成した防聴音を出力する防聴音出力手段と、前記所定の音声に対して前記防聴音を重畳させた音であるミックス音および前記所定の音声のみを発生させた場合の音であるオリジナル音に基づいて防聴音出力度合を算出する出力度合算出手段と、人が音声を聴き取れない割合を示す会話保護度合と前記防聴音出力度合との相関を表わす式として予め求められた相関式を用い、前記出力度合算出手段によって算出された防聴音出力度合から前記会話保護度合を算出する保護度合算出手段とを備えたことを特徴とする。
また、本発明は、上記の発明において、前記防聴音は前記所定の音声に基づいて生成されるものであり、前記出力度合算出手段は、集音手段によって集音された前記ミックス音および前記オリジナル音の音圧レベルの差分に基づいて防聴音出力度合を算出するものであることを特徴とする。
【手続補正３】
【補正対象書類名】明細書
【補正対象項目名】００１７
【補正方法】変更
【補正の内容】
【００１７】
また、本発明は、上記の発明において、前記防聴音出力手段は、試験者が発話した所定の音声を集音するとともに、集音された音声に対応する防聴音を生成して出力し、前記集音手段は、前記試験者が発話した所定の音声および前記防聴音出力手段によって出力された防聴音をそれぞれ集音し、前記出力度合算出手段は、前記集音手段によって集音された前記所定の音声をオリジナル音とし、該オリジナル音を前記集音手段によって集音された防聴音と合成することによってミックス音を生成することを特徴とする。
【手続補正４】
【補正対象書類名】明細書
【補正対象項目名】００１９
【補正方法】変更
【補正の内容】
【００１９】
本発明によれば、防聴音出力手段が、所定の音声を聞き取り難くする防聴音を生成し、生成した防聴音を出力し、出力度合算出手段が、所定の音声に対して防聴音を重畳させた音であるミックス音および所定の音声のみを発生させた場合の音であるオリジナル音に基づいて防聴音出力度合を算出し、保護度合算出手段が、人が音声を聴き取れない割合を示す会話保護度合と防聴音出力度合との相関を表わす式として予め求められた相関式を用い、出力度合算出手段によって算出された防聴音出力度合から会話保護度合を算出することとしたため、会話セキュリティシステムによる会話保護度合を測定者の感覚によってバラつきが生じることなく適正に評価することができるという効果を奏する。
また、本発明によれば、防聴音は所定の音声に基づいて生成されるものであり、出力度合算出手段は、集音手段によって集音されたミックス音およびオリジナル音の音圧レベルの差分に基づいて防聴音出力度合を算出することとしたため、防聴音出力度合を適切に算出し、会話保護度合をより精度良く評価することができるという効果を奏する。